(57)【要約】【課題】利用者に与える眩しさを抑えることができると共に、直近の比較的広い面積を均一に照射することで、顔の凹凸による影が生ずることのない自然な姿を写すことができる携帯型照明付きミラーを提供すること。【解決手段】ケース本体２と、このケース本体を上面から覆う蓋体３とが、ヒンジ４を介して開閉可能に連結され、前記蓋体におけるケース本体に対向する面には、鏡５が装着されると共に、前記ケース本体の上面には、有機ＥＬパネル６が装着されている。ケース本体に開閉可能に連結された前記蓋体の自由端側にはマグネット７が配置されると共に、前記マグネットに対向する前記ケース本体には、前記マグネットに吸着される磁性体８が配置されている。前記マグネット７と前記磁性体８とによって、蓋体が閉じられた状態を保持するマグネットキャッチを構成している。【選択図】図１
2017144039.tif 000002
【特許請求の範囲】
【請求項１】
ケース本体と、前記ケース本体の上面を覆う蓋体とが、ヒンジを介して開閉可能に連結され、前記蓋体におけるケース本体に対向する面には、鏡が装着されると共に、前記ケース本体の上面、もしくは前記鏡の一部には、面発光光源が装着されていることを特徴とする携帯型照明付きミラー。
【請求項２】
前記鏡の一部に、面発光光源が装着された請求項１に記載の携帯型照明付きミラーであって、前記蓋体が開閉されるケース本体の上面には、小物の収容凹部が形成されていることを特徴とする携帯型照明付きミラー。
【請求項３】
前記面発光光源として、有機ＥＬパネルを用いたことを特徴とする請求項１または請求項２に記載の携帯型照明付きミラー。
【請求項４】
前記ケース本体に対して蓋体が開けられた状態、および蓋体が閉じられた状態を検知する蓋体の開閉検知手段が備えられ、前記蓋体の開閉検知手段によって、前記有機ＥＬパネルの点灯もしくは消灯が制御されることを特徴とする請求項３に記載の携帯型照明付きミラー。
【請求項５】
前記ケース本体に開閉可能に連結された前記蓋体の自由端側にはマグネットが配置されると共に、前記マグネットに対向する前記ケース本体には、前記マグネットに吸着される磁性体が配置され、
前記マグネットと前記磁性体とによって、蓋体が閉じられた状態を保持するマグネットキャッチが構成されていることを特徴とする請求項３または請求項４に記載の携帯型照明付きミラー。
【請求項６】
前記蓋体が閉じられた状態で、前記マグネットの磁束を受ける磁気センサが前記ケース本体に配置され、前記磁気センサが前記有機ＥＬパネルの点灯もしくは消灯を制御する蓋体の開閉検知手段を構成していることを特徴とする請求項５に記載の携帯型照明付きミラー。
【請求項７】
前記ケース本体には加速度センサが配置され、前記加速度センサが前記有機ＥＬパネルの発光輝度を変更する輝度制御手段を構成していることを特徴とする請求項３ないし請求項６のいずれか１項に記載の携帯型照明付きミラー。
【請求項８】
前記加速度センサが少なくとも２軸方向の動きを検出可能な多軸センサであり、第１の軸方向の加速度の検出に基づいて、前記有機ＥＬパネルの発光輝度を変更する輝度制御手段を構成すると共に、第２の軸方向の加速度の検出に基づいて、前記有機ＥＬパネルの発光色を変更する調色制御手段を構成したことを特徴とする請求項７に記載の携帯型照明付きミラー。
【請求項９】
前記ヒンジを介したケース本体に対する前記蓋体の最大開き角度が、９０度より大きく１８０度より小さな鈍角の範囲となるように構成されていることを特徴とする請求項１ないし請求項８のいずれか１項に記載の携帯型照明付きミラー。
【発明の詳細な説明】
【技術分野】
【０００１】
この発明は、化粧などを行う際に利用することができる面発光光源を備えた携帯型照明付きミラーに関する。
【背景技術】
【０００２】
化粧を行う場合や身だしなみを確かめる場合などに、携帯型の手鏡が利用される。この手鏡を利用しようとする場合、必ずしも明るい場所であるとは限らないために、手鏡の一部に発光素子などの照明灯を取り付けたものが提案されている。
前記発光素子としては、小型で軽量かつ発熱の少ないＬＥＤを用いる場合が多く、かかるＬＥＤを手鏡の一部に取り付けた照明付き手鏡が、次に示す特許文献１および２などに開示されている。
【先行技術文献】
【特許文献】
【０００３】
【特許文献１】特開２００１−１５７６３７号公報
【特許文献２】特開２００６−１７５０６５号公報
【０００４】
前記特許文献１に開示された携帯型の手鏡によると、鏡面の上下が光透過性のすりガラスになされ、鏡の裏面に配置されたＬＥＤからの光が、前記上下のすりガラスを通して、鏡に向かう顔に投射されるように構成されている。
また、特許文献２に開示された携帯型の手鏡は、鏡が備えられた手鏡本体を中央にして、その左右両側にそれぞれＬＥＤを備えたホルダが、ヒンジを介して手鏡本体に対して折りたたみ可能に取り付けられた構成が示されている。
【発明の概要】
【発明が解決しようとする課題】
【０００５】
前記した特許文献１および２に開示された手鏡によると、いずれも発光光源としてＬＥＤが用いられており、このＬＥＤは点光源であるために投射光の指向性が強い。
したがって、この手鏡を利用した場合には、鏡の周囲に配置されたＬＥＤが直接利用者の視野に入り、利用者に眩しさを与えることになる。しかも顔の凹凸により影が出やすいという問題も生ずる。
またＬＥＤからの光は、演色性に劣るために例えば顔が若干青白く不自然に写るなどの問題も発生し、この種の照明付き手鏡として改善の余地が残されている。
【０００６】
そこでこの発明は、面発光光源を用いることで、利用者に与える眩しさを抑えることができると共に、面発光光源により直近の比較的広い面積を均一に照射することで、例えば顔の凹凸による影が生ずることのない自然な姿を写すことができる携帯型照明付きミラーを提供することを課題とするものである。
【課題を解決するための手段】
【０００７】
前記した課題を解決するためになされたこの発明に係る携帯型照明付きミラーは、ケース本体と、前記ケース本体の上面を覆う蓋体とが、ヒンジを介して開閉可能に連結され、前記蓋体におけるケース本体に対向する面には、鏡（ミラー）が装着されると共に、前記ケース本体の上面、もしくは前記鏡の一部には、面発光光源が装着されていることを特徴とする。
【０００８】
この場合、前記鏡の一部に面発光光源が装着された携帯型照明付きミラーにおいては、好ましくは前記蓋体が開閉されるケース本体の上面に、小物の収容凹部が形成された構成を好適に採用することができる。
【０００９】
そして、前記面発光光源としては、望ましくは有機ＥＬ（Electro Luminescence）パネルが用いられる。
【００１０】
また、一つの好ましい形態においては、前記ケース本体に対して蓋体が開けられた状態、および蓋体が閉じられた状態を検知する蓋体の開閉検知手段が備えられ、前記蓋体の開閉検知手段によって、前記有機ＥＬパネルの点灯もしくは消灯が制御されるように構成される。
【００１１】
さらに、一つの好ましい形態においては、ケース本体に開閉可能に連結された前記蓋体の自由端側にはマグネットが配置されると共に、前記マグネットに対向する前記ケース本体には、前記マグネットに吸着される磁性体が配置され、前記マグネットと前記磁性体とによって、蓋体が閉じられた状態を保持するマグネットキャッチが構成される。
【００１２】
この場合、前記蓋体が閉じられた状態で、前記マグネットの磁束を受ける磁気センサが前記ケース本体に配置され、前記磁気センサが前記有機ＥＬパネルの点灯もしくは消灯を制御する蓋体の開閉検知手段を構成した形態を採用することができる。
【００１３】
さらに、前記ケース本体には加速度センサが配置され、前記加速度センサが前記有機ＥＬパネルの発光輝度を変更する輝度制御手段を構成した形態も好適に採用することができる。
【００１４】
この場合、望ましくは前記加速度センサが少なくとも２軸方向の動きを検出可能な多軸センサであり、第１の軸方向の加速度の検出に基づいて、前記有機ＥＬパネルの発光輝度を変更する輝度制御手段を構成すると共に、第２の軸方向の加速度の検出に基づいて、前記有機ＥＬパネルの発光色を変更する調色制御手段が構成される。
【００１５】
そして、前記ヒンジを介したケース本体に対する前記蓋体の最大開き角度は、９０度より大きく１８０度より小さな鈍角の範囲となるように構成されていることが望ましい。
【発明の効果】
【００１６】
この発明に係る前記した携帯型照明付きミラーによると、ケース本体と、このケース本体を上面から覆う蓋体とが、ヒンジを介して開閉可能に連結されて、外郭が構成される。
そして、蓋体におけるケース本体に対向する面には鏡（ミラー）が装着されると共に、前記ケース本体の上面、もしくは前記鏡の一部には、面発光光源として望ましくは有機ＥＬパネルが装着される。
したがって、ケース本体に対して前記蓋体を９０度より大きな鈍角となるように開き、蓋体に装着された鏡を正面にして直視することで、前記した面発光光源としての有機ＥＬパネルからの光は、斜め下方からもしくは鏡の面方向から利用者の顔に向かって均一に照射される。
【００１７】
これにより、有機ＥＬパネルより演色性の高い自然な柔らかい光を受けるので、利用者に眩しさを与えることなく、かつ顔の凹凸による影が生ずることのない自然な姿を鏡に写すことができる。
【図面の簡単な説明】
【００１８】
【図１】この発明に係る第１形態の携帯型照明付きミラーの斜視図である。
【図２】同じく有機ＥＬパネルを直上から見た状態の平面図である。
【図３】同じく正面図である。
【図４】同じく右側面図である。
【図５】同じく左側面図である。
【図６】蓋体を閉じた状態の斜視図である。
【図７】この発明に係る第２形態の携帯型照明付きミラーの斜視図である。
【図８】この発明に係る第３形態の携帯型照明付きミラーの斜視図である。
【図９】携帯型照明付きミラーの回路構成を示したブロック図である。
【発明を実施するための形態】
【００１９】
この発明に係る携帯型照明付きミラーについて、図に示す実施の形態に基づいて説明する。その第１形態の照明付きミラー１が図１〜図６に示されており、ケース本体２と、このケース本体２を上面から覆う蓋体３が、ヒンジ４を介してケース本体２に対して開閉可能に連結されている。
【００２０】
前記ケース本体２はその外郭が合成樹脂素材により、適度の厚みを有する直方体形状に成形されており、このケース本体２の長辺の一方には、前記ヒンジ４が取り付けられている。そして、前記ヒンジ４を介して、合成樹脂素材により長方形状に成形された蓋体３の長辺の一方が連結されている。
なお、直方体形状に成形された前記ケース本体２と、これを覆う前記蓋体３とは、図６に示されているように、ほぼ同一の平面サイズで上下に重なるように成形されている。
【００２１】
前記蓋体３におけるケース本体２に対向する面には、鏡（ミラー）５が装着されており、この鏡５は、前記蓋体３の四辺にそれぞれ幅の狭い周縁部を残した状態で、蓋体３に対して額縁状に取り付けられている。
一方、前記ケース本体２の上面には、そのほぼ中央部に面発光光源としての有機ＥＬパネル６が装着されており、この有機ＥＬパネル６は、図に示すようにほぼ正方形に構成されたものが用いられている。
【００２２】
ケース本体２に対して開閉可能に連結された前記蓋体３の自由端側には、符号７で示す引き出し線が示す位置に、マグネット（図示されていないが、以下符号７で示す。）が埋設されている。そして、前記ケース本体２における前記マグネット７に対向する位置には、前記マグネット７に吸着される金属素材により短冊状に成形された磁性体８が取り付けられている。
これにより、前記ケース本体２に対して、その上面を覆うようにして蓋体３を閉じた場合には、前記マグネット７に前記磁性体８が吸着することで、蓋体３が閉じられた状態を保持するマグネットキャッチが構成されている。
【００２３】
一方、ケース本体２における厚さ方向の前端面には、前記した有機ＥＬパネルの点灯状態やケース本体２内に収容された後述するバッテリー（リチウムイオン電池）への充電状態などを点灯色で識別表示するＬＥＤ９が配置されている。
また、図４に示されているようにケース本体２における左側面には、ケース本体２内の前記バッテリーに充電電流を供給するためのＵＳＢソケット１０が配置されている。
【００２４】
図７は第２形態の照明付きミラー１を示した斜視図である。この第２形態の照明付きミラー１は、ケース本体２の上面に２枚の有機ＥＬパネル６を左右に並べて配置したものであり、他の構成は図１〜図６に示した第１形態の照明付きミラー１と同様である。したがって、第１形態の照明付きミラー１と同一の機能を果す部分に同一の符号を付けて示しており、各部の説明は省略する。
【００２５】
この第２形態の照明付きミラー１によると有機ＥＬパネル６の発光面積を実質的に２倍にすることができるので、有機ＥＬパネル６からの光を受ける被照射面の照度を増大させることができる。
なお、図７に示す第２形態の照明付きミラー１は、蓋体３を閉じた状態においては、図６に示すように第１形態の照明付きミラーと同様となる。
【００２６】
図８は第３形態の照明付きミラー１を示した斜視図である。この第３形態の照明付きミラー１は、蓋体３に取り付けられた鏡５の一部に、面発光光源としての有機ＥＬパネル６が装着されている。この図８に示す例においては、鏡５の左右両側に縦長に形成されたほぼ長方形状の有機ＥＬパネル６がそれぞれ装着されている。
【００２７】
なお、この鏡５に装着される有機ＥＬパネル６の形態は長方形状に限らず、楕円形状もしくはその他の形状も適宜選択することができる。加えて有機ＥＬパネル６は鏡５の左右のみならず、鏡５の上下にも配置することができ、上下左右の四辺に沿って配置した形態も採用することができる。
また、前記有機ＥＬパネル６は、鏡５の前面に例えば貼着により取り付ける場合や、鏡５の鏡面処理が施されないガラス体の裏面に配置する構成も採用することができる。
【００２８】
そして、この第３形態の照明付きミラー１においては、蓋体３が開閉されるケース本体２の上面には、小物の収容凹部１１が形成されている。
この第３形態の照明付きミラー１においては、小物の収容凹部１１の下底部とケース本体２との間に、より薄型に形成されたバッテリー（リチウムイオン電池）が装着されることになる。
なお、図８に示す第３形態の照明付きミラー１は、蓋体３を閉じた状態においては、図６に示すように第１形態の照明付きミラーと同様となる。
【００２９】
以上説明した第１ないし第３形態の照明付きミラー１は、前記したヒンジ４を介したケース本体２に対する前記蓋体３の最大開き角度が、９０度より大きく１８０度より小さな鈍角の範囲となるように構成されている。すなわち最大開き角度の好ましい例においては、図４および図５に示されているように、１３５度程度に設定される。
【００３０】
この構成によると、第１および第２形態の照明付きミラー１は、蓋体３に装着された鏡５を正面にして直視することで、ケース本体２に配置された有機ＥＬパネル６からの光は、斜め下方から利用者の顔に向かって均一に照射される。
また、第３形態の照明付きミラー１によると、蓋体３に装着された鏡５を正面にして直視することで、鏡５の一部に配置された有機ＥＬパネル６からの光は、鏡５の面方向から利用者の顔に向かって均一に照射される。
これにより、有機ＥＬパネル６より演色性の高い自然な柔らかい光を受けるので、利用者に眩しさを与えることなく、かつ顔の凹凸による影が生ずることのない自然な姿を鏡５に写すことができる。
【００３１】
図９は、前記した第１ないし第３形態の照明付きミラー１において用いられる回路構成を示したブロック図である。
この図９に示された回路構成の大部分は回路基板１２内に搭載されており、この回路基板１２はバッテリー（リチウムイオン電池）１３と共に、ケース本体２の内底部に収容されている。そして、回路基板１２内の各ブロックを結ぶ実線は電力線（パワーライン）を示しており、破線は制御信号線を示している。
【００３２】
前記回路基板１２には、前記バッテリー１３に対する充電回路１４が搭載されており、前記したＵＳＢソケット１０から充電回路１４に電力線が接続されると共に、充電回路１４からの定電流出力が、前記バッテリー１３に供給されるように電力線が接続されている。また前記バッテリー１３よりパワースイッチ１５に対して、出力が供給されるように構成されており、前記パワースイッチ１５には、前記ＵＳＢソケット１０からも駆動電力の供給を受けることができるように構成されている。
【００３３】
そして、パワースイッチ１５において択一的に選択された駆動電力は、有機ＥＬ駆動回路１６に供給され、有機ＥＬ駆動回路１６からのＰＷＭ出力が、有機ＥＬパネル６に発光駆動電力として供給されるように構成されている。
前記充電回路１４よりマイクロプロセッサユニット１７に対してステータス信号が供給されるように構成されており、これによりマイクロプロセッサユニット１７は、ＵＳＢソケット１０への給電の有無および前記バッテリー１３の充電状態を判断し、前記パワースイッチ１５および充電回路１４を制御して、適切な給電経路を選択するように機能する。
【００３４】
またマイクロプロセッサユニット１７には、磁気センサ１８からの情報が供給されるように構成されている。この磁気センサ１８は、前記したマグネットキャッチを構成する磁性体８に隣接してケース本体２内に配置され、前記蓋体３が閉じた状態において蓋体３に埋設されたマグネット７からの磁束を受けるように作用する。
そして、磁気センサ１８が所定量の磁束を検知した場合には、有機ＥＬ駆動回路１６に指令を送り、有機ＥＬパネル６への給電を停止するように作用する。
【００３５】
すなわち前記磁気センサ１８は、ケース本体２に対する蓋体３の開閉状態を検知するものであり、蓋体３が開いた状態で有機ＥＬ駆動回路１６を動作させると共に、蓋体３が閉じた状態で有機ＥＬ駆動回路１６の動作を停止させるように機能する。
これにより、前記磁気センサ１８は、前記マイクロプロセッサユニット１７と共に、有機ＥＬパネル６の点灯もしくは消灯を制御するオンオフ制御手段を構成している。
【００３６】
また、前記マイクロプロセッサユニット１７には、加速度センサ１９からの情報が供給される。この加速度センサ１９はケース本体２内に収容され、前記有機ＥＬパネル６の輝度制御および調色制御の機能を果す。
なお、前記した有機ＥＬパネル６には、単色発光の有機ＥＬパネルと、フルカラータイプの有機ＥＬパネルとが存在する。単色発光の有機ＥＬパネルを用いる場合には、好ましくは単軸方向の動きを検出可能な加速度センサ１９が用いられ、これにより有機ＥＬパネル６の輝度制御が実行される。
【００３７】
この輝度制御手段においては、例えばケース本体２をダブルタップした場合のように、所定の時間内に加速度センサ１９が２回の加速度変化を受けた場合に、マイクロプロセッサユニット１７は、これをコマンドとして認識するように作用する。
そして、ダブルタップによる前記コマンドを認識する毎に、前記マイクロプロセッサユニット１７は、有機ＥＬ駆動回路１６に指令を送り、有機ＥＬ駆動回路１６から有機ＥＬパネル６に供給するＰＷＭ信号のデューティ比を順次低下させるように作用する。
【００３８】
これにより、単色発光の有機ＥＬパネル６の発光輝度は、一例として１００％→→７０％→→５０％のように輝度が変化し、その次のダブルタップを受けて有機ＥＬパネル６の発光輝度は、再び１００％に復帰する動作が繰り返される。
これにより前記加速度センサ１９は、前記マイクロプロセッサユニット１７および有機ＥＬ駆動回路１６と共に、前記有機ＥＬパネル６の発光輝度を変更する輝度制御手段が構成される。
【００３９】
一方、フルカラータイプの有機ＥＬパネル６を用いる場合には、前記加速度センサ１９として少なくとも２軸方向（例えばＸ軸とＹ軸）の動きをそれぞれ検出可能な多軸センサが用いられる。そして、第１の軸方向（例えばＸ軸）の加速度の検出（例えば前記したダブルタップの検出）に基づいて、前記有機ＥＬパネル６の発光輝度を順次変更する輝度制御手段を構成すると共に、第２の軸方向（例えばＹ軸）の加速度の検出（例えば前記したダブルタップの検出）に基づいて、前記有機ＥＬパネル６の発光色を順次変更する調色制御手段が構成される。
【００４０】
前記したフルカラータイプの有機ＥＬパネル６を用い、輝度制御および調色制御をそれぞれ実行するには、前記マイクロプロセッサユニット１７から前記有機ＥＬ駆動回路１６に対して、例えば、Ｒ（赤）、Ｇ（緑）、Ｂ（青）に対応した予め定められたデューティ比のＰＷＭ信号（Ｒ用ＰＷＭ信号、Ｇ用ＰＷＭ信号、Ｂ用ＰＷＭ信号）の組み合わせが、それぞれ出力されるように作用する。
【００４１】
この場合、前記調色制御手段は、一例としてＹ軸方向のダブルタップを受けて、有機ＥＬパネル６の発光色として、例えば２８００Ｋ（電球色）および４２００Ｋ（白色）が反復して切り換わるように制御されても良く、さらに多段階に発光色が切り換わるように設定されていても良い。
【００４２】
図９に示す符号２０は、ＡＣアダプタを示しており、このＡＣアダプタから導出されるＵＳＢコネクタ２０ａを、ケース本体２のＵＳＢソケット１０に接続することで、前記したバッテリー１３への充電等を行うことができる。
【００４３】
なお、前記した実施の形態においては、マグネットキャッチを構成するマグネット７の接近を検知する磁気センサ１８を用いて、蓋体３の開閉検知手段を構成し、前記した有機ＥＬパネル６の点灯もしくは消灯制御をするようにしている。
しかし、有機ＥＬパネル６の点灯もしくは消灯制御は、ケース本体２に対して蓋体３が開けられたか否かを検知する機械的なスイッチを蓋体の開閉検知手段として用い、前記スイッチを介して有機ＥＬパネル６の点灯もしくは消灯制御を実現するようにしても良い。
【００４４】
以上説明したこの発明に係る携帯型照明付きミラーによると、面発光光源として有機ＥＬパネルを用いることで、有機ＥＬパネルの特質を生かした演色性の高い照明効果を得ることができる。これにより利用者に眩しさを与えることなく、かつ顔の凹凸による影が生ずることのない自然な姿を鏡に写すことができるなど、前記した発明の効果の欄に記載したとおりの作用効果を奏する携帯型照明付きミラーを提供することができる。
【符号の説明】
【００４５】
１      携帯型照明付きミラー
２      ケース本体
３      蓋体
４      ヒンジ
５      鏡
６      有機ＥＬパネル（面発光光源）
７      マグネット
８      磁性体
９      表示用ＬＥＤ
１０    ＵＳＢソケット
１１    小物収容凹部
１２    回路基板
１３    バッテリー（リチウムイオン電池）
１４    充電回路
１５    パワースイッチ
１６    有機ＥＬ駆動回路
１７    マイクロプロセッサユニット
１８    磁気センサ（オンオフ制御手段）
１９    加速度センサ
２０    ＡＣアダプタ
２０ａ  ＵＳＢコネクタ
【図１】
2017144039.tif 000003
【図２】
2017144039.tif 000004
【図３】
2017144039.tif 000005
【図４】
2017144039.tif 000006
【図５】
2017144039.tif 000007
【図６】
2017144039.tif 000008
【図７】
2017144039.tif 000009
【図８】
2017144039.tif 000010
【図９】
2017144039.tif 000011